(57)【特許請求の範囲】
【請求項１】
充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、
前記ＡＣアダプタ部にはロック爪押出突起が設けられ、かつ前記ホルダー部には前記ロック爪押出突起により押し出され、携帯型電子機器を保持するロック爪が設けられたことを特徴とする充電器。
【請求項２】
充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、
前記ＡＣアダプタ部にはロック用突起が設けられ、かつ前記ホルダー部には前記ロック用突起により携帯型電子機器を保持するための孔もしくは切り欠きが設けられたことを特徴とする充電器。
【請求項３】
充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、
前記ＡＣアダプタ部にはロック爪押出突起が設けられ、かつ前記ホルダー部には前記ロック爪押出突起により押し出され携帯型電子機器を保持するロック爪と前記ロック爪を押し出す方向に付勢する弾性体とが設けられたことを特徴とする充電器。
【発明の詳細な説明】
【０００１】
【発明の属する技術分野】
本発明は、携帯型電子機器等を充電する充電器に関するものであり、詳しくは携帯型電子機器等を使用してデータ通信を行いながら充電可能な充電器に関するものである。
【０００２】
【従来の技術】
近年、携帯電話や、ＰＨＳ（簡易型無線電話機）、ＰＤＡ（携帯情報端末）といった携帯可能な電子機器の市場が急速に広がっている。さらには、その単体で、もしくはパーソナルコンピューターに接続することで、電話回線を通じてデータ通信可能な電子機器端末（以下、携帯型電子機器とする）も増えてきている。
【０００３】
しかしながら、携帯型電子機器等を使用してデータ通信を行う際には、その携帯型電子機器が内蔵している電池寿命によりデータ通信可能時間が限定されてしまう。
【０００４】
上述の課題を解決するために、従来は特開平１０−１１６６６６号に示すように携帯型電子機器をモデムを通じてパーソナルコンピューターに接続するとともに、その携帯型電子機器をホルダー部（筐体）に載せてホルダー部からの接続コネクタを差し込み、そして、そのホルダー部は別の接続コネクタ、接続ケーブルを通じてＡＣアダプタ部（給電アダプタ）に接続して、このＡＣアダプタ部のＡＣプラグ（差し込み部）をコンセントに差し込むことにより、電池切れを気にする必要がなく、電池を充電するとともにデータ通信を行うことができるようにしていた。
【０００５】
しかしながら、この仕組みでは、ＡＣアダプタ部とホルダー部とが別々となっているため、ケーブルやコネクタ等の部品点数が増え、コスト高になると共に、スペースを取り、持ち運びに不便だという問題があった。またホルダー部とＡＣアダプタ部とが一体となった充電器は、従来より多数存在しているが、これらの充電器ではデータ通信を行うことができなかった。このような充電器の例として特願平１０−２５８８６０号が挙げられる。
【０００６】
本願発明者は、この問題を解決するための施策として、特願平１１−１２５８０９号に示す発明を提唱した。
【０００７】
【発明が解決しようとする課題】
しかしながら、上記従来の特願平１１−１２５８０９号記載の仕組みでは、図５〜図８に示すように、上述の課題を解決することはできているが、ホルダー部３に設けている突起Ａについて、新たな課題が発生している。この突起Ａは、携帯型電子機器を安定的に保持・固定するためのものであるが、その大きさが大きければ、データ通信を行わない通常の充電時（ホルダー部３はＡＣアダプタ部１に対して水平状態から直交状態までの９０度回動自在であり、水平状態を０度と定義すると、０度の場合もしくは６０度、９０度でデータ通信を行わない場合）は、突起Ａが障害となり携帯型電子機器の挿抜がしにくいという課題があった。また突起Ａの大きさが小さければ、充電しながらデータ通信を行う場合（ホルダー部３はＡＣアダプタ部１に対して水平状態から直交状態までの９０度回動自在であり、水平状態を０度と定義すると、６０度または９０度の場合）は、突起Ａによる携帯型電子機器の保持・固定力が弱く、携帯型電子機器に好適に用いられているストラップ（携帯型電子機器を持ち運び容易とするための紐）等の重さによっては、ホルダー部３から倒れてしまう恐れがあった。
【０００８】
これを解決するには、突起Ａの大きさを最適にすれば良いという考え方もあるが、ホルダー部３が回動自在で、ＡＣアダプタ部１に対して複数の角度で固定され、携帯型電子機器を保持・固定する必要がある点、及び前述のストラップ等にどのような重さのものがいくつ用いられるか、また用いられないかが不明な点、等を考慮に入れると、最適な大きさを決めるのは容易ではない。
【０００９】
また、突起８を設けることにより、携帯型電子機器を確実に支えることができるが、ホルダー部３をＡＣアダプタ部１に対して水平状態とした際に、この突起８は突出してしまうため、持ち運びの際に不便であったり、不慮の事故により破損してしまう恐れがあり、実用上万全とは言い難かった。
【００１０】
本発明は、このような課題を解決するものであり、携帯型電子機器の挿抜を容易にすると共に、データ通信時等の携帯型電子機器の保持・固定力を向上させた充電器を提供することを目的とする。
【００１１】
【課題を解決するための手段】
上記目的を達成するために本発明の充電器は、充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、前記ＡＣアダプタ部にはロック爪押出突起が設けられ、かつ前記ホルダー部には前記ロック爪押出突起により押し出され、携帯型電子機器を保持するロック爪が設けられたことを特徴とするものである。
【００１２】
また、充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、前記ＡＣアダプタ部にはロック用突起が設けられ、かつ前記ホルダー部には前記ロック用突起により携帯型電子機器を保持するための孔もしくは切り欠きが設けられたことを特徴とするものである。
【００１３】
これらによると、通常の使用状態において携帯型電子機器の挿抜を容易にすると共に、データ通信時等の携帯型電子機器の保持・固定力を向上させた優れた充電器を提供することができる。
【００１４】
さらに、充電又は接続回路が内蔵され、一側面には前記充電又は接続回路をＡＣ商用電源に接続するＡＣプラグが回動自在に設けられたＡＣアダプタ部と、携帯電話などの携帯型電子機器を保持して充電するホルダー部とを回動自在に一体化して備え、前記ホルダー部は充電時に携帯型電子機器のデータ通信用コネクタが露出されるよう孔もしくは切り欠きが設けられており、前記ＡＣアダプタ部にはロック爪押出突起が設けられ、かつ前記ホルダー部には前記ロック爪押出突起により押し出され携帯型電子機器を保持するロック爪と前記ロック爪を押し出す方向に付勢する弾性体とが設けられたことを特徴とするものである。
【００１５】
これによると、先の二つの充電器とは異なり、水平状態での使用時においてもロック爪は押し出された状態で保持されているので、昨今の非常に軽量な携帯型電子機器、特に携帯電話などを保持する場合においても、充電端子の押圧に負けて不安定な状態になることを防止して確実な保持をすることができる。
【００１６】
【発明の実施の形態】
以下、本発明の好ましい実施の形態について図面を参照しながら詳細に説明する。図１は本発明の実施の形態１に係る充電器を示す外観図であり、図２は中央断面図、図３は本発明の実施の形態２に係る充電器を示す外観図であり、図４はその側面図である。本実施の形態において、従来例と実質的に同一のものは、同一の番号を付与している。
【００１７】
（実施の形態１）
図１、図２において、１はＡＣアダプタ部であり、充電制御を行う充電回路かもしくは単に後述するＡＣプラグ２と被充電対象の携帯電話やＰＨＳなどの携帯型電子機器７とを電気的に接続する接続回路を内部に備えている。
【００１８】
２はＡＣプラグであり、ＡＣ商用電源に接続されて携帯型電子機器へ電源供給を行っている。このＡＣプラグ２は、ＡＣアダプタ部１に対して水平に突出した状態から内部に収納された状態までの１８０度回動自在であり、水平に突出した状態を０度と定義すると、０度、９０度及び１８０度とした際に、特定の力でクリック感を与えると共に保持・固定される。
【００１９】
３はホルダー部であり、携帯型電子機器７を起立状に保持する。ホルダー部３の底側部には、携帯型電子機器７の充電の際に用いる充電端子４が設けられ、両側部には、携帯型電子機器７を確実に所定の位置・向きに挿入させるためのガイド突起５が設けられている。このホルダー部３には、少なくとも携帯型電子機器７のデータ通信用コネクタが露出される大きさの切り欠き６が設けられている。このホルダー部３はＡＣアダプタ部１に対して水平状態から直交状態までの９０度回動自在であり、水平状態を０度と定義すると、０度、６０度及び９０度とした際に、特定の力でクリック感を与えると共に保持・固定される。
【００２０】
そして、２０はロック爪押出突起であり、ＡＣアダプタ部１と一体成形されている。２１はロック爪であり、ホルダー部３に設けられている。このロック爪２１は、ホルダー部３がＡＣアダプタ部１に対して０度の時には、ホルダー部３の壁面と面一となっており、ホルダー部３がＡＣアダプタ１に対して６０度または９０度に固定されている時には、ロック爪押出突起２０に携帯型電子機器７を挿入するための空間へ付勢されて押し出される可動式の構成となっている。これにより、携帯型電子機器７の保持・固定が若干不安定となりやすい角度（６０度、９０度）に固定する際には、ロック爪２１により堅固に固定され、もともと携帯型電子機器７が安定的に保持されているホルダー部３がＡＣアダプタ部１に対して０度の際には、ロック爪２１がホルダー部３の壁面と面一の状態となっているので、携帯型電子機器７の挿抜が容易な使い勝手の良い充電器となっている。
【００２１】
この構成において、壁上のＡＣコンセント・延長コード・テーブルタップそれぞれに接続して使用する場合について詳細に説明する。
【００２２】
ＡＣコンセントに接続して使用する場合、ＡＣコンセントを通じて商用電源と接続されたＡＣプラグ２はＡＣアダプタ部１に対して９０度の角度で保持・固定され、ホルダー部３はＡＣアダプタ部１に対して９０度の角度で保持・固定されている。ホルダー部３がＡＣアダプタ部１に対して９０度となるまで回動されている間に、ロック爪２１はＡＣアダプタ部１に設けられたロック爪押出突起２０によって押圧され、ホルダー部３の壁面に対して面一の状態から、突出した状態となっている。この状態で携帯型電子機器７をホルダー部３に載せようとすると、ロック爪２１の上面を携帯型電子機器７がなぞるようにして挿入され、ロック爪２１が携帯型電子機器７の対応部分にはまり込み保持・固定されると共に、充電端子同士が接触することで携帯型電子機器７に対する充電が開始される。この充電は、ＡＣアダプタ部１内部または携帯型電子機器７内部に設けられた充電制御回路により満充電検出がなされるまで行われる。この状態で、携帯型電子機器７のデータ通信用コネクタに接続ケーブルが接続されデータ通信が行われると、ＡＣアダプタ部１は、分岐回路等を用いて、電気的に商用電源を用いてデータ通信を可能にすると共に、余剰電力を用いて携帯型電子機器７の充電を行う。
【００２３】
なお、壁上のＡＣコンセントにＡＣプラグ２を挿入して充電器を使用する場合には、充電器本体に対して自体の重量と携帯型電子機器７などの重量とによる回転モーメントが作用し、ＡＣプラグ２がＡＣコンセントから抜け落ちる可能性がある。これを解決するためにＡＣアダプタ部１のホルダー部３側に突出して弾性変形により出入自在となる弾性押圧部材１０を設けることが望ましい。この弾性押圧部材１０は、ＡＣプラグ２がＡＣコンセントに挿入されたときに、ＡＣコンセントの周囲の壁面に当接して押圧されることにより、その側面とほぼ面一となる位置まで弾性的に没入され、外方への復元力でＡＣアダプタ部１に対しＡＣプラグ２を支点として上方へ押し上げる方向に回転モーメントを付与するようになっている。これにより、携帯型電子機器７の装着された充電器全体をＡＣコンセントに支持させているにも拘わらず、ＡＣコンセント内で突っ張らせた状態とされて大きな摩擦抵抗が付与されることにより、ＡＣコンセントからの抜脱を確実に防止できる。
【００２４】
ここでは、ホルダー部３をＡＣアダプタ部１に対して９０度の角度にした後に、携帯型電子機器７をホルダー部３に載せるように説明したが、携帯型電子機器７をホルダー部３に載せた後にＡＣアダプタ部１に対して９０度の角度にすることも可能であることは言うまでもない。
【００２５】
次に延長コードに接続して使用する場合について説明する。延長コードを通じて商用電源と接続されたＡＣプラグ２はＡＣアダプタ部１に対して０度の角度で保持・固定され、ホルダー部３はＡＣアダプタ部１に対して６０度の角度で保持・固定されている。ホルダー部３がＡＣアダプタ部１に対して６０度となるまで回動されている間に、ロック爪２１はＡＣアダプタ部１に設けられたロック爪押出突起２０によって押圧され、ホルダー部３の壁面に対して面一の状態から、突出した状態となっている。この状態で携帯型電子機器７をホルダー部３に載せようとすると、ロック爪２１の上面を携帯型電子機器７がなぞるようにして挿入され、ロック爪２１が携帯型電子機器７の対応部分にはまり込み保持・固定されると共に、充電端子同士が接触することで携帯型電子機器７に対する充電が開始される。
【００２６】
この充電は、ＡＣアダプタ部１内部または携帯型電子機器７内部に設けられた充電制御回路により満充電検出がなされるまで行われる。この状態で、携帯型電子機器７のデータ通信用コネクタに接続ケーブルが接続されデータ通信が行われると、ＡＣアダプタ部は、分岐回路等を用いて、電気的に商用電源を用いてデータ通信を可能にすると共に、余剰電力を用いて携帯型電子機器７の充電を行う。
【００２７】
なお、本実施の形態においては、ＡＣアダプタ部１に対するホルダー部３の角度を６０度としたが、データ通信用コネクタに接続されている接続ケーブルに不要な負荷がかからず、かつ携帯型電子機器７を安全に保持・固定できうる角度であれば良く、６０度に限ったものではないことは言うまでもない。
【００２８】
ここでは、ホルダー部３をＡＣアダプタ部１に対して６０度の角度にした後に、携帯型電子機器７をホルダー部３に載せ、その後にデータ通信用コネクタに接続ケーブルを接続するように説明したが、データ通信用コネクタに接続ケーブルを接続し、携帯型電子機器７をホルダー部３に載せた後にＡＣアダプタ部１に対して６０度の角度にすることも可能であることは言うまでもない。
【００２９】
次にテーブルタップに接続して使用する場合について説明する。テーブルタップを通じて商用電源と接続されたＡＣプラグ２はＡＣアダプタ部１に対して９０度の角度で保持・固定され、ホルダー部３はＡＣアダプタ部１に対して６０度の角度で保持・固定されている。ホルダー部３がＡＣアダプタ部１に対して６０度となるまで回動されている間に、ロック爪２１はＡＣアダプタ部１に設けられたロック爪押出突起２０によって押圧され、ホルダー部３の壁面に対して面一の状態から、突出した状態となっている。この状態で携帯型電子機器７をホルダー部３に載せようとすると、ロック爪２１の上面を携帯型電子機器７がなぞるようにして挿入され、ロック爪２１が携帯型電子機器７の対応部分にはまり込み保持・固定されると共に、充電端子同士が接触することで携帯型電子機器７に対する充電が開始される。この充電は、ＡＣアダプタ部１内部または携帯型電子機器７内部に設けられた充電制御回路により満充電検出がなされるまで行われる。この状態で、携帯型電子機器７のデータ通信用コネクタに接続ケーブルが接続されデータ通信が行われると、ＡＣアダプタ部は、分岐回路等を用いて、電気的に商用電源を用いてデータ通信を可能にすると共に、余剰電力を用いて携帯型電子機器７の充電を行う。
【００３０】
なお、この場合においても、ＡＣアダプタ部１に対するホルダー部３の角度を６０度としたが、データ通信用コネクタに接続されている接続ケーブルに不要な負荷がかからず、かつテーブルタップの前後左右の重量バランスが取れ、携帯型電子機器７を安全に保持・固定できうる角度であれば良く、６０度に限ったものではないことは言うまでもない。
【００３１】
ここでは、ホルダー部３をＡＣアダプタ部１に対して６０度の角度にした後に、携帯型電子機器７をホルダー部３に載せ、その後にデータ通信用コネクタに接続ケーブルを接続するように説明したが、データ通信用コネクタに接続ケーブルを接続し、携帯型電子機器７をホルダー部３に載せた後にＡＣアダプタ部１に対して６０度の角度にすることも可能であることは言うまでもない。
【００３２】
なお、本実施の形態においては、ホルダー部３に切り欠き６を設けたが、同様の趣旨で、データ通信用コネクタが露出される大きさの孔を空けるようにしても良いが、この場合には必ず携帯型電子機器７をホルダー部３に載せた後に、データ通信用コネクタに接続ケーブルを接続する必要がある。
【００３３】
本実施の形態においては、ホルダー部３をＡＣアダプタ部１に対して６０度とした際も、９０度とした際も、ロック爪２１の突出度合いは同等としているが、これは適宜最適に変更できる。
【００３４】
（実施の形態２）
図３、図４において、基本的な構成は実施の形態１と同様であるので、同等の機能を有するものには、同一の図番を振り、ここでは説明を省略する。
【００３５】
本実施の形態において、実施の形態１と異なる部分は、ロック爪２１に変わる孔２２を設けた点及び、ロック爪押出突起２０に変わるロック用突起２３を設けた点である。このロック用突起２３はＡＣアダプタ部１と一体成形されている。
【００３６】
この孔２２は、ホルダー部３がＡＣアダプタ部１に対して０度の時には空壁が空いたままとなっており、ホルダー部３がＡＣアダプタ部１に対して６０度または９０度に固定されている時には、ロック用突起２３が空壁を通して携帯型電子機器７の保持・固定ができるような孔の位置・サイズとなっている。ロック用突起２３は、携帯型電子機器７の保持・固定が若干不安定となりやすい角度に固定する際には、上述のように孔２２の空壁を通して携帯型電子機器７の保持・固定を行っており、もともと携帯型電子機器７が安定的に保持されているホルダー部３がＡＣアダプタ部１に対して０度の際には、ホルダー部３には、ロック用突起２３の突出がなく、携帯型電子機器７の挿抜が容易な使い勝手の良い充電器となっている。
【００３７】
この構成において、延長コードに接続して使用する場合について詳細に説明する。延長コードを通じて商用電源と接続されたＡＣプラグ２はＡＣアダプタ部１に対して０度の角度で保持・固定され、ホルダー部３はＡＣアダプタ部１に対して６０度の角度で保持・固定されている。ホルダー部３がＡＣアダプタ部１に対して６０度となるまで回動されている間に、ロック用突起２３が孔２２の空壁を通じてホルダー部３の空間へ突出した状態となっている。この状態で携帯型電子機器７をホルダー部３に載せようとすると、ロック用突起２３の上面を携帯型電子機器７がなぞるようにして挿入され、ロック用突起２３が携帯型電子機器７の対応部分にはまり込み保持・固定されると共に、充電端子同士が接触することで携帯型電子機器７に対する充電が開始される。
【００３８】
この充電は、ＡＣアダプタ部１内部または携帯型電子機器７内部に設けられた充電制御回路により満充電検出がなされるまで行われる。この状態で、携帯型電子機器７のデータ通信用コネクタに接続ケーブルが接続されデータ通信が行われると、ＡＣアダプタ部は、分岐回路等を用いて、電気的に商用電源を用いてデータ通信を可能にすると共に、余剰電力を用いて携帯型電子機器７の充電を行う。
【００３９】
なお、本実施の形態においては、ＡＣアダプタ部１に対するホルダー部３の角度を６０度としたが、データ通信用コネクタに接続されている接続ケーブルに不要な負荷がかからず、かつ携帯型電子機器７を安全に保持・固定できうる角度であれば良く、６０度に限ったものではないことは言うまでもない。
【００４０】
ここでは、ホルダー部３をＡＣアダプタ部１に対して６０度の角度にした後に、携帯型電子機器７をホルダー部３に載せ、その後にデータ通信用コネクタに接続ケーブルを接続するように説明したが、データ通信用コネクタに接続ケーブルを接続し、携帯型電子機器７をホルダー部３に載せた後にＡＣアダプタ部１に対して６０度の角度にすることも可能であることは言うまでもない。
【００４１】
本実施の形態において、壁上のＡＣコンセントにＡＣプラグを挿入した場合、及びテーブルタップに接続した場合の説明は省略するが、実施の形態１で示したものと同等の効果が得られることは言うまでもない。
【００４２】
なお、本実施の形態においては、ホルダー部３に切り欠き６を設けたが、同様の趣旨で、データ通信用コネクタが露出される大きさの孔を空けるようにしても良いが、この場合には必ず携帯型電子機器７をホルダー部３に載せた後に、データ通信用コネクタに接続ケーブルを接続する必要がある。
【００４３】
また、本実施の形態においては、孔２２を設けたが、これは、切り欠きとしても同様の効果が得られることは言うまでもない。
【００４４】
（実施の形態３）
図９、図１０において、基本的な構成は実施の形態１と同様であるので、同等の機能を有するものには、ここでは説明を省略する。
【００４５】
図９は実施の形態１に示す構成の要部断面図である。図１０は本実施の形態の要部断面図である。両図において、９０はホルダー部、９１はＡＣアダプタ部、９２はＡＣプラグ、９３は充放電制御を行う充電回路または単なる接続回路であるプリント基板、９４及び１０４はロック爪、９６は充電端子である。
【００４６】
９５及び１０５はロック爪を付勢している弾性体である板バネであるが、その付勢している方向が異なっている。図９の板バネ９５は水平状態の際にはロック爪９４を凹ます方向に付勢されている。これにより、ホルダー部への携帯型電子機器の挿抜が容易だという利点が生じる。
【００４７】
これに対して図１０に示す板バネ１０５はロック爪１０４を押し出す方向に付勢している。本構成が必要となる理由を簡単に説明する。
【００４８】
携帯型電子機器の中でも主要な携帯電話・ＰＨＳなどは、昨今非常に軽量化してきている。一方、その携帯型電子機器と充電器との電気的接触部である充電端子は２端子あり、両端子に一定の押圧がかかることで内部のプリント基板と接触してはじめて充電可能となるものも少なくなかった。また内部のプリント基板と充電端子が常時導通しているものにおいても、一定以上の押圧がないとちょっとした衝撃で充電が不安定となってしまう可能性があった。
【００４９】
従って、図１０に示したように水平状態においても板バネ１０５によりロック爪１０４を押し出す構成としておけば、携帯型電子機器をロック爪１０４により安定的に保持・固定することができるので、上記の課題を解決して、非常に軽量な携帯型電子機器を充電する際にも安定的に保持して、充電端子９６に対して一定以上押圧することが可能であるので安定的に充電することができる。
【００５０】
図１０に示した構成によると、図９に示した構成と比べて、水平状態においてはロック爪が押し出されているか否かの違いが生じているが、ホルダー部９０とＡＣアダプタ部９１とが６０度または９０度の状態の際には、携帯型電子機器を安定的に保持可能となるように、ロック爪押出突起によりロック爪９４を押し出した状態に保持しており、異なるところは全くない。
【００５１】
本実施の形態においては、弾性体として板バネを用いたが、他の弾性体、例えばコイルバネ等でも同等の効果が得られることは言うまでもない。
【００５２】
実施の形態１及び２で示した構成は、水平状態の際にはロック爪は押し出されていないため、ホルダー部への携帯型電子機器の挿抜が容易だという利点があり、充電端子の押圧に負けない重量のある機器に対しては本構成を採用すれば良い。
【００５３】
一方、実施の形態３で示した構成は、水平状態の際にもロック爪は弾性体で付勢されて押し出されているため、ホルダー部への携帯型電子機器の挿抜時にはそのロック爪は凹むものの若干の抵抗感は残る。しかしながら、従来の充電器と比較すると、遙かに挿抜は容易である。昨今の非常に軽量化された携帯電話などでは、一定の押圧は最低限必要な充電端子の押圧力に負けて押し返されて不安定な状態になる可能性があり、本構成による保持をすることが望ましい。
【００５４】
【発明の効果】
上記実施の形態における説明から明らかなように、本発明によれば、充電しながらのデータ通信が可能で、ＡＣ電源コード、そのコードブッシング及びＩ／Ｏコネクタ用ボディなどのＡＣ商用電源に接続するための構成を削減できるのでコストを大幅に低減でき、ＡＣアダプタ部に対してホルダー部を９０度とすることで壁上のＡＣコンセントに直接差し込むことができ、延長コード、テーブルタップ等がなくても充電・データ通信が可能で、携帯性に非常に優れた充電器を提供できるだけでなく、ロック爪もしくはロック用突起を設けたので、通常の安定した使用状態（ホルダー部がＡＣアダプタに対して０度で且つデータ通信を行わない状態）においては携帯型電子機器の挿抜を容易にすると共に、携帯型電子機器が不安定な状態となりやすい角度にホルダー部を固定する際には、携帯型電子機器の保持・固定力を向上させられる優れた充電器を提供することができる。
【００５５】
また対象とする携帯型電子機器の状態・重量に応じて、水平状態時にロック爪を押し出す、凹ます状態のいずれかを選択することで、性能や使い勝手の良い充電器を提供することができる。
【図面の簡単な説明】
【図１】本発明の実施の形態１における充電器の外観図
【図２】本発明の実施の形態１における充電器の中央断面図
【図３】本発明の実施の形態２における充電器の側面図
【図４】本発明の実施の形態２における充電器の側面図
【図５】従来の充電器の外観図
【図６】ＡＣコンセントを用いた使用状態の模式図
【図７】延長コードを用いた使用状態の模式図
【図８】テーブルタップを用いた使用状態の模式図
【図９】（ａ）  本発明の実施の形態１における充電器の要部断面図
（ｂ）  本発明の実施の形態１における充電器の要部断面図
【図１０】（ａ）  本発明の実施の形態３における充電器の要部断面図
（ｂ）  本発明の実施の形態３における充電器の要部断面図
【符号の説明】
１、９１    ＡＣアダプタ部
２、９２    ＡＣプラグ
３、９０    ホルダー部
４、９６    充電端子
５    ガイド突起
６    切り欠き
７    携帯型電子機器
１０  弾性押圧部材
２０  ロック爪押出突起
２１、９４、１０４  ロック爪
２２  孔
２３  ロック用突起
９５、１０５  板バネ（弾性体）
【図１】
0004165006.tif 000002
【図２】
0004165006.tif 000003
【図３】
0004165006.tif 000004
【図４】
0004165006.tif 000005
【図５】
0004165006.tif 000006
【図６】
0004165006.tif 000007
【図７】
0004165006.tif 000008
【図８】
0004165006.tif 000009
【図９】
0004165006.tif 000010
【図１０】
0004165006.tif 000011